(57)【要約】【課題】軒樋を容易に施工することができ、且つ、屋根面の妻側の端部から軒側に流れ落ちた雨水を軒下に落ち難くすることができる屋根構造を提供する。【解決手段】屋根１の妻側の端部に設けられたけらば部材２と、屋根１の軒側に設けられた軒樋３とを備える。けらば部材２が屋根１の上面を構成する屋根面よりも軒側に突出した突出部２０を有する。軒樋３が軒に沿う方向において突出部２０と離間して配置されて、軒樋３のけらば部材２側の端部と突出部２０との間に隙間５が形成される。屋根面の妻側の端部から軒側に流れ落ちた雨水を軒樋３に導く導水部材４をさらに備える。導水部材４が、隙間５の上側に位置して屋根面から軒側に流れ落ちた雨水を受ける水受け片４０と、水受け片４０からけらば部材２とは反対側で且つ下側となる斜め方向に向かって突出してその突出端が軒樋３の上側に配置される導水片４４とを有する。【選択図】図１
2014198950.tif 000002
【特許請求の範囲】
【請求項１】
屋根の妻側の端部に設けられたけらば部材と、
前記屋根の軒側に設けられた軒樋とを備え、
前記けらば部材が前記屋根の上面を構成する屋根面よりも軒側に突出した突出部を有し、
前記軒樋が軒に沿う方向において前記突出部と離間して配置されて、前記軒樋の前記けらば部材側の端部と前記突出部との間に隙間が形成され、
前記屋根面の妻側の端部から軒側に流れ落ちた雨水を前記軒樋に導く導水部材をさらに備え、
前記導水部材が、
前記隙間の上側に位置して前記屋根面から軒側に流れ落ちた雨水を受ける水受け部と、
前記水受け部から前記けらば部材とは反対側で且つ下側となる斜め方向に向かって突出してその突出端が前記軒樋の上側に配置される導水部とを有することを特徴とする屋根構造。
【請求項２】
前記導水部材が前記けらば部材に取り付けられたことを特徴とする請求項１に記載の屋根構造。
【請求項３】
前記屋根面が、下方に開口し上方に突出する凸部と上方に開口し下方に凹む凹部とが軒に沿う方向に交互に形成された凹凸屋根材で構成され、前記水受け部が軒に沿う方向において前記凹部に対応する位置に配置されることを特徴とする請求項１又は請求項２に記載の屋根構造。
【発明の詳細な説明】
【技術分野】
【０００１】
本発明は、けらば部材が屋根面よりも軒側に突出した屋根構造に関する。
【背景技術】
【０００２】
特許文献１には、屋根のけらば（妻側の端部）に、破風が取り付けられた屋根構造が開示されている。この屋根構造では、破風が屋根面よりも軒側に突出した所謂けらば勝ちとなっている。また、屋根の軒側には軒樋が設けられており、軒樋は破風の軒側に突出した突出部に隣接して配置されている。
【先行技術文献】
【特許文献】
【０００３】
【特許文献１】特開２０１０−２４８８１７
【発明の概要】
【発明が解決しようとする課題】
【０００４】
ところで、特許文献１に示されるようなけらば勝ちの屋根構造にあっては、軒樋の施工の際に、軒樋がけらば部材である破風と接触して施工がし難くなる。このため、軒樋を軒に沿う方向において破風の前記突出部と離間して配置し、これにより軒樋の破風側の端部と破風の突出部との間に隙間を形成するのがよい。しかし、このように軒樋と破風の間に隙間を形成すると、屋根面の妻側の端部から軒側に流れ落ちた雨水が前記隙間を通って軒下に落下することが懸念される。
【０００５】
本発明は前記事情に鑑みてなされたものであって、軒樋を容易に施工することができ、且つ、屋根面の妻側の端部から軒側に流れ落ちた雨水を軒下に落ち難くすることができる屋根構造を提供することを課題とする。
【課題を解決するための手段】
【０００６】
上記課題を解決するために本発明の屋根構造は、屋根の妻側の端部に設けられたけらば部材と、前記屋根の軒側に設けられた軒樋とを備え、前記けらば部材が前記屋根の上面を構成する屋根面よりも軒側に突出した突出部を有し、前記軒樋が軒に沿う方向において前記突出部と離間して配置されて、前記軒樋の前記けらば部材側の端部と前記突出部との間に隙間が形成され、前記屋根面の妻側の端部から軒側に流れ落ちた雨水を前記軒樋に導く導水部材をさらに備え、前記導水部材が、前記隙間の上側に位置して前記屋根面から軒側に流れ落ちた雨水を受ける水受け部と、前記水受け部から前記けらば部材とは反対側で且つ下側となる斜め方向に向かって突出してその突出端が前記軒樋の上側に配置される導水部とを有することを特徴とする。
【０００７】
また、前記導水部材が前記けらば部材に取り付けられることが好ましい。
【０００８】
また、前記屋根面が、下方に開口し上方に突出する凸部と上方に開口し下方に凹む凹部とが軒に沿う方向に交互に形成された凹凸屋根材で構成され、前記水受け部が軒に沿う方向において前記凹部に対応する位置に配置されることが好ましい。
【発明の効果】
【０００９】
本発明にあっては、軒樋のけらば部材側の端部とけらば部材の突出部との間に隙間が形成されるため、軒樋を屋根に取り付ける施工を容易にすることができる。また、屋根面の妻側の端部から軒側に流れ落ちた雨水を、導水部材の水受け部で受け、この雨水を導水部上に流して導水部の突出端から軒樋に落下させることができる。このため、屋根面から軒側に流れ落ちた雨水が、けらば部材の突出部と軒樋の間の隙間を介して軒下に落下し難くなる。また、導水部を水受け部からけらば部材とは反対側で且つ下側となる斜め方向に向かって突出させたことにより、導水部の突出端に至った雨水が、導水部の下面側に回り込み難くなる。従って、導水部上の雨水を導水部の突出端から適切に落下させ、この雨水を軒樋で受けることができる。
【図面の簡単な説明】
【００１０】
【図１】本発明の実施形態の屋根構造を示す斜視図である。
【図２】図１のＡ−Ａ′断面図である。
【図３】同上のけらば部材及びこれに取り付けられた導水部材を示し、（ａ）は正面図であり、（ｂ）は側面図である。
【図４】同上の導水部材を示し、（ａ）は正面図であり、（ｂ）は側面図であり、（ｃ）は（ｂ）のＢ矢視図である。
【発明を実施するための形態】
【００１１】
以下、本発明を切妻屋根を有する建物に適用した実施形態につき説明する。なお、本発明の屋根構造は、片流れ屋根等、切妻屋根以外の屋根を有する建物に適用してもよい。また、以下では、図１中Ｄ１で示される軒と棟を結ぶ方向を軒棟方向とし、図１中Ｄ２で示される軒に沿う方向を軒方向として説明する。
【００１２】
本実施形態の屋根構造が適用される建物は、屋根１、けらば部材２、軒樋３、及び導水部材４を備えている。
【００１３】
屋根１は、図２に示されるように、屋根下地１０及び屋根材１３を有している。屋根下地１０の上面部は、垂木等の構造躯体上に設けられた野地板１００で構成されている。棟から軒に向かって一定の勾配で下り傾斜した野地板１００は、その軒側の端部が、屋根１の軒側の面を構成する鼻板１４よりも軒側に突出している。
【００１４】
野地板１００の軒側の端部には、軒先水切り１１が取り付けられている。軒先水切り１１は、野地板１００の軒方向の全長に亘るように複数並べて設けられている。これら軒先水切り１１は、例えば鋼板製である。
【００１５】
各軒先水切り１１は、載置片部１１０、沿片部１１１、突片部１１２、及び垂片部１１３を有している。載置片部１１０は、下面が野地板１００の上面に沿った状態で野地板１００上に載置されている。なお、各軒先水切り１１は、ルーフィング等を介して野地板１００上に載置されてもよいし、野地板１００上に直接載置されてもよい。
【００１６】
沿片部１１１は、載置片部１１０の軒側の端部から野地板１００の軒側の端面に沿って下側に突出している。沿片部１１１の下端部は、野地板１００の軒側の端面の下端よりも上方に位置している。突片部１１２は、沿片部１１１の下端部から軒側に向かって突出している。垂片部１１３は、突片部１１２の軒側の端部から下方に向かって突出しており、鉛直である。
【００１７】
野地板１００の軒側の端部には、面戸１２が取り付けられている。面戸１２は、野地板１００の軒方向の全長に亘るように複数並べて設けられている。これら面戸１２は、例えば鋼板製である。
【００１８】
各面戸１２は、固定板部１２０及び閉塞板部１２１を有している。固定板部１２０は、下面が軒先水切り１１の載置片部１１０上の上面に沿った状態で載置片部１１０上に載置されている。各面戸１２の固定板部１２０と、各軒先水切り１１の載置片部１１０は、ビスや釘等の固着具によって野地板１００に取り付けられている。
【００１９】
各面戸１２の固定板部１２０は、野地板１００よりも軒側に突出している。この部分には、軒方向に間隔を介して複数の閉塞板部１２１が設けられている。各閉塞板部１２１は、固定板部１２０から立ち上がっている。各閉塞板部１２１は、固定板部１２０の一部を切り起こして形成されている。固定板部１２０において閉塞板部１２１を立ち上げた部分よりも棟側の部分には、前記切り起こしによって形成された通気孔１２３が設けられている。
【００２０】
各面戸１２の固定板部１２０は、閉塞板部１２１を立ち上げた箇所よりも軒側に突出した部分１２２を有している。各面戸１２の部分１２２は、軒先水切り１１の垂片部１１３の上方に位置している。各面戸１２の部分１２２は、軒側の部分が棟側の部分と比較して急勾配で傾斜している。各面戸１２の部分１２２の軒側の端部（固定板部１２０の軒側の端部）は、軒先水切り１１の垂片部１１３よりも軒側に位置している。
【００２１】
屋根材１３は、屋根下地１０上に軒方向に複数並べて設けられている。各屋根材１３は、野地板１００上に軒先水切り１１の載置片部１１０及び面戸１２の固定板部１２０を介して載置されている。
【００２２】
本実施形態の屋根材１３は凹凸屋根材であって、図１に示されるように、下方に開口し上方に突出する凸部１３０と上方に開口し下方に凹む凹部１３１とが軒方向に交互に形成されている。これら屋根材１３によって屋根１の上面である屋根面が構成されている。隣り合う屋根材１３同士は野地板１００に固定された図示しない連結具を介して連結されている。各屋根材１３は、凸部１３０が面戸１２の閉塞板部１２１に対向し、凹部１３１が隣り合う閉塞板部１２１の間に位置するように配置されている。
【００２３】
図２に示されるように、各屋根材１３の各凸部１３０と野地板１００の間には、軒側及び棟側に通じる通気空間１３２が形成されている。
【００２４】
各屋根材１３の軒側の端部は、野地板１００よりも軒側に突出し、その突出端面は対応する面戸１２の閉塞板部１２１に当接している。これにより、屋根材１３の各凸部１３０の軒側の端部は、対応する閉塞板部１２１によって閉塞されている。
【００２５】
各面戸１２の固定板部１２０の部分１２２は、屋根材１３よりも軒側に位置している。すなわち、面戸１２の固定板部１２０の部分１２２は、屋根材１３で構成された屋根面の軒側への延長部分となっている。屋根材１３の上面に沿って棟側から軒側に向かって流れる雨水は、面戸１２の固定板部１２０において屋根材１３より軒側に突出した部分１２２上に流れた後、固定板部１２０の軒側の端部から落下するようになっている。
【００２６】
各屋根材１３の各凸部１３０の軒側の端部は、対応する面戸１２の通気孔１２３を介して下方に開口している。これにより、各屋根材１３の下面側に形成された通気空間１３２は、通気孔１２３を介して軒側に連通している。各軒先水切り１１の突片部１１２及び垂片部１１３は、雨水が通気孔１２３に吹き込むことを防止する役割を果たす。
【００２７】
図３にはけらば部材２が示されている。本実施形態のけらば部材２は、図１に示されるように、屋根１の妻側の端部を包むけらばカバーであって、屋根１の妻側の端部（けらば）に取り付けられている。
【００２８】
けらば部材２の軒側の端部は、屋根材１３よりも軒側に突出している。すなわち、本実施形態は、けらば部材２が屋根面よりも軒側に突出した所謂けらば勝ちの屋根構造となっている。
【００２９】
けらば部材２には、軒棟方向に長く屋根１側（妻と反対側）に開口する溝部２１（図３参照）が形成されている。溝部２１は、けらば部材２の棟側端部から、図１及び図２に示されるように鼻板１４よりも軒側に突出した部分にまで形成されている。
【００３０】
図１に示されるように、溝部２１には、野地板１００の妻側端部、屋根１の妻側の端部に設けられた破風板（不図示）、及び鼻板１４の妻側の端部が収納され、これらはけらば部材２によって覆い隠されている。本実施形態の最も妻側に位置する屋根材１３の妻側端部には、凹部１３１が形成されており、溝部２１には凹部１３１の妻側端部が収納されている。
【００３１】
溝部２１の鼻板１４よりも軒側に位置する端部は、他の部分よりも溝幅の小さい幅狭部２１０となっている。幅狭部２１０はその棟側の溝部２１の上端部から軒側に延び出ている。幅狭部２１０の軒側端はけらば部材２の軒側端よりも棟側に位置しており、幅狭部２１０は軒側には開口していない。幅狭部２１０には、野地板１００、屋根材１３、軒先水切り１１、及び面戸１２の夫々の妻側端部が収納されている。
【００３２】
軒樋３は、軒樋本体３０と軒樋止まり３１とで構成されている。軒樋本体３０は、軒方向に長く上方に開口した溝形に形成されている。図示は省略するが、軒樋本体３０は、鼻板１４に軒方向に複数取り付けられた軒樋吊具によって支持されている。
【００３３】
軒樋本体３０は、各面戸１２の固定板部１２０の軒側の端部の下方に位置し、且つ、各軒先水切り１１の垂片部１１３の下端部の下方に位置している。このため、屋根材１３の上面から面戸１２の固定板部１２０を経て固定板部１２０の軒側の端部から落下した雨水は、軒樋本体３０で受けられるようになっている。また、軒樋本体３０は、各軒先水切り１１の垂片部１１３の下端部の下方に位置している。このため、垂片部１１３の下端部から落下した雨水も、軒樋本体３０で受けられるようになっている。
【００３４】
軒樋止まり３１は、軒樋本体３０の妻側の端部に取り付けられている。軒樋本体３０の妻側の端部開口は、軒樋止まり３１によって閉塞されている。
【００３５】
軒樋３の妻側の端面部を構成する軒樋止まり３１は、けらば部材２において屋根材１３よりも軒側に突出した突出部２０に対向している。軒樋止まり３１は、軒方向においてけらば部材２の突出部２０と離間して配置されている。これにより、軒樋止まり３１と突出部２０の間には、隙間５が形成されている。このような隙間５を形成することで、軒樋３を屋根１に取り付けるにあたって、軒樋３がけらば部材２に接触し難くなり、施工が容易になる。また、この隙間５は軒樋３が熱膨張したときに、軒樋３とけらば部材２とが接触しないようにする役割も果たしている。
【００３６】
けらば部材２の鼻板１４よりも軒先側に突出した部分には、導水部材４が取り付けられている。導水部材４は、屋根面の妻側の端部（すなわち、最も妻側に位置する屋根材１３の妻側の端部に形成された凹部１３１）から軒側に流れ落ちた雨水を、軒樋３に導く。
【００３７】
導水部材４は鋼板製であり、図４に示されるように、水受け片４０、第一取付片４１、第二取付片４２、水返し片４３、及び導水片４４を有している。
【００３８】
水受け片４０は、屋根面の妻側の端部から軒側に流れ落ちた雨水を受ける水受け部を構成している。水受け片４０は、棟側から軒側に順に配置される、棟側部４００、集水部４０１、及び軒側部４０２で構成されている。
【００３９】
図２に示されるように、棟側部４００は、軒先水切り１１の突片部１１２の下方に配置されている。棟側部４００は、軒側に行く程下方に位置するように傾斜しており、野地板１００と略平行である。棟側部４００の棟側端部には、棟側部４００の棟側端部を上側において軒側に折り返した水返し片４３が形成されている。
【００４０】
集水部４０１は、棟側部４００から軒側に向かって略水平に突出している。集水部４０１は、軒先水切り１１の垂片部１１３よりも軒側に突出している。
【００４１】
軒側部４０２は、集水部４０１の軒側の端部から軒側且つ上側となる斜め方向に向かって突出している。すなわち、軒側部４０２は、棟側に行く程下方に位置するように傾斜している。軒側部４０２は、面戸１２の固定板部１２０の軒側の端部の軒側に位置し、固定板部１２０の軒側の端部に対向している。
【００４２】
棟側部４００の妻側縁部には、上側に突出した第一取付片４１が形成されている。軒側部４０２の妻側縁部には、棟側に突出した第二取付片４２が形成されている。
【００４３】
第一取付片４１及び第二取付片４２は、けらば部材２の幅狭部２１０（溝部２１の軒側の端部）の溝奥部に沿った状態で、ビス等の固着具によりけらば部材２に取り付けられている。すなわち、導水部材４のけらば部材２への取付部は、第一取付片４１及び第二取付片４２によって構成されている。
【００４４】
図１に示されるように、水受け片４０は、けらば部材２の軒樋３側（妻と反対側）の側面から軒樋３側に向かって突出している。この水受け片４０の突出部分は、軒樋止まり３１と突出部２０の間の隙間５の上方に配置されている。
【００４５】
最も妻側に位置する屋根材１３の妻側の端部に形成された凹部１３１から、面戸１２の固定板部１２０上を経て軒側に流れ落ちた雨水は、水受け片４０で受けられるようになっている。このように水受け片４０で受けられた雨水は、傾斜した棟側部４００及び軒側部４０２によって集水部４０１上に集められる。また、雨水が棟側部４００上を棟側に向かって流れた場合には、この雨水が水返し片４３によって集水部４０１側に戻されるようになっている。
【００４６】
導水片４４は、水受け片４０の集水部４０１の軒樋３側（妻と反対側）の端縁から、軒樋３側且つ下側となる斜め方向に向かって突出している。導水片４４は集水部４０１の軒側の端縁の全長に亘っている。導水片４４の突出端は自由端となっており、軒樋本体３０の上方に位置している。
【００４７】
前述したように屋根面の妻側の端部から軒側に落下した後、水受け片４０の集水部４０１上に集められた雨水は、導水片４４上に流れ込むようになっている。そして、この雨水は、軒樋３側に向かって下り傾斜した導水片４４の上面に沿って軒樋３側に流れ、この後、導水片４４の突出端から落下し、軒樋３で受けられるようになっている。すなわち、導水片４４は、水受け片４０で受けた雨水を軒樋３に導く導水部を構成している。
【００４８】
以上説明した本実施形態の屋根構造は、屋根１の妻側の端部に設けられたけらば部材２と、屋根１の軒側に設けられた軒樋３とを備えている。また、けらば部材２が屋根１の上面を構成する屋根面（屋根材１３）よりも軒側に突出した突出部２０を有し、軒樋３が軒方向において突出部２０と離間して配置されて、軒樋３のけらば部材２側の端部と突出部２０との間に隙間５が形成されている。このため、軒樋３を屋根１に取り付ける施工を容易にすることができる。
【００４９】
また、屋根面の妻側の端部から軒側に流れ落ちた雨水を軒樋３に導く導水部材４をさらに備えている。そして、導水部材４が、隙間５の上方に位置して屋根面から軒側に流れ落ちた雨水を受ける水受け片４０（水受け部）と、水受け片４０からけらば部材２とは反対側で且つ下側となる斜め方向に向かって突出してその突出端が軒樋３の上側に配置される導水片４４（導水部）とを有している。このため、屋根面の妻側の端部から軒側に流れ落ちた雨水は、導水部材４の水受け片４０で受けられ、この後、導水片４４上に流れ込んで、導水片４４の突出端から軒樋３に落下するようになる。従って、屋根面の妻側の端部から軒側に流れ落ちた雨水が、けらば部材２の突出部２０と軒樋３の間の隙間５を介して軒下に落下し難くなる。また、導水片４４を水受け片４０からけらば部材２とは反対側で且つ下側となる斜め方向に向かって突出したことで、導水片４４の突出端に至った雨水が、導水片４４の下面側に回り込み難くなり、導水片４４の突出端から落下しやすくなる。このため、導水片４４の突出端に至った雨水を、軒樋３で適切に受けることができる。
【００５０】
また、本実施形態では、けらば部材２に取り付けた導水部材４によって、屋根面の妻側の端部から軒側に流れ落ちた雨水を軒樋３に導くことができる。
【００５１】
また、本実施形態の屋根材１３は、下方に開口し上方に突出する凸部１３０と上方に開口し下方に凹む凹部１３１とが軒に沿う方向に交互に形成された凹凸屋根材で構成されている。そして、導水部材４の水受け片４０が軒方向において凹部１３１に対応する位置に配置されている。このため、屋根材１３の妻側端部に設けられた凹部１３１に流れ込んだ雨水が軒側に落下したときに、この雨水を導水部材４によって軒樋３に導くことができる。
【００５２】
なお、本実施形態では、導水部材４をけらば部材２に取り付けたが、導水部材４は屋根材１３や鼻板１４、軒樋３等、けらば部材２以外の部材に取り付けらえるものであってもよい。また、本実施形態では、屋根材１３の凹部１３１を妻側の端部に配置し、この凹部１３１に対応する位置に導水部材４の水受け片４０を配置した。しかし、屋根材１３の凸部１３０を妻側の端部に配置し、この凸部１３１に対応する位置に導水部材４の水受け片４０を配置してもよい。また、屋根材１３は凹凸屋根材に限られるものではなく、スレート等、凹凸屋根材以外の他の屋根材であってもよい。また、本実施形態のければ部材２は、屋根１の妻側端部を覆うけらばカバーであるが、屋根１の妻側端部に設けられた破風板等であってもよい。
【符号の説明】
【００５３】
１  屋根
２  けらば部材
３  軒樋
４  導水部材
５  隙間
１３  屋根材（屋根面）
２０  突出部
４０  水受け片（水受け部）
４４  導水片（導水部）
１３０  凸部
１３１  凹部
【図１】
2014198950.tif 000003
【図２】
2014198950.tif 000004
【図３】
2014198950.tif 000005
【図４】
2014198950.tif 000006